(57)【要約】【課題】  本発明は、点火コイル本体とシリンダーヘッドとの間をシールするプラグホールシール部の軽量化および安価にすることができる内燃機関用点火コイルに関するものである。【解決手段】  パイプ状部品は、高圧タワー部に取り付けるために一端に設けられた嵌合凸部と、前記嵌合凸部の他端に設けらた点火プラグを通すプラグシールとから構成される。シリンダーヘッドは、プラグホール内に、前記高圧タワー部、および前記パイプ状部品を嵌挿している。プラグホールシールは、前記点火コイル本体と、前記プラグホールとの間をシールするリング状のものである。ジョイントラバーは、前記嵌合凸部と嵌合する嵌合凹部を備え、前記高圧タワー部と前記パイプ状部品を接続する。前記プラグホールシールとジョイントラバーを別体とすることにより、重量を軽量化するとともに形状を単純化することができる。【選択図】    図１
2006274924.tif 000002
【特許請求の範囲】
【請求項１】
点火コイル本体に連設された高圧タワー部と、
前記高圧タワー部に取り付けるために一端に設けられた嵌合凸部と、前記嵌合凸部の他端に設けられた点火プラグを通すプラグシールとからなるパイプ状部品と、
前記高圧タワー部、および前記パイプ状部品を嵌挿するプラグホールを備えたシリンダーヘッドと、
前記点火コイル本体と、前記プラグホールとの間をシールするプラグホールシールと、
前記嵌合凸部と嵌合する嵌合凹部を備え、前記高圧タワー部と前記パイプ状部品を接続するジョイントラバーと、
を少なくとも有することを特徴とする内燃機関用点火コイル。
【請求項２】
前記プラグホールシールおよびジョイントラバーは、材質が異なっていることを特徴とする請求項１に記載された内燃機関用点火コイル。
【請求項３】
前記プラグホールシールおよびジョイントラバーは、耐熱温度および電気的絶縁性が異なっていることを特徴とする請求項１に記載された内燃機関用点火コイル。
【発明の詳細な説明】
【技術分野】
【０００１】
本発明は、点火コイル本体とシリンダーヘッドとの間をシールするプラグホールシール部の軽量化および安価にすることができる内燃機関用点火コイルに関するものである。
【背景技術】
【０００２】
図２は従来の内燃機関用点火コイルにおけるプラグホールシール部を説明するための概念図である。図２において、点火コイル本体２１は、漏斗状垂下部２１１と、前記漏斗状垂下部２１１に連設された高圧タワー部２１２とから構成されている。プラグホールシール部２２は、前記点火コイル本体２１と後述するシリンダーヘッド２５に設けられたプラグホール２６とをシールするシール部２２１と、前記シール部２２１に連設された前記漏斗状垂下部２１１を覆う部分と、高圧タワー部２１２を覆うとともに後述のパイプ状部品２４と嵌合する嵌合凹部２２２とが一体に構成されている。
【０００３】
前記パイプ状部品２４は、シリンダーヘッド２５に設けられたプラグホール２６に嵌挿されており、上端部に前記プラグホールシール部２２における嵌合凹部２２２に嵌合する嵌合凸部２４１と、下端部に点火プラグシール部２４２とが設けられている。前記点火コイル本体２１とパイプ状部品２４との間をプラグホールシール部２２により水の侵入を防止する構造になっている。
【０００４】
絶縁ケースとプラグホールシール部との間から水の侵入に起因する不具合を防止した内燃機関用点火コイルは、たとえば、特開２００２−３９０４０号公報に記載されている。また、高圧タワーの絶縁パイプの下部と点火プラグの頂部を有する碍子部に被せて取り付けた下方ブーツとを接着しないで強力に固定した内燃機関用点火コイルは、たとえば、特開２００１−２２７４４１号公報に記載されている。
【特許文献１】特開２００２−３９０４０号公報
【特許文献２】特開２００１−２２７４４１号公報
【発明の開示】
【発明が解決しようとする課題】
【０００５】
前記従来のプラグホールシール部は、点火コイル本体からパイプ状部品までをシールするような構成で一体にしていたため、この部分の大きさが大きくなり、必要な材料が多いだけでなく構造が複雑であった。また、前記プラグホールシール部は、高い耐熱性と電気的絶縁性を有する部分と、必ずしもそうでない部分とがあるにもかかわらず、同じ材質のものを使用しているため、高価なものとなっていた。
【０００６】
以上のような課題を解決するために、本発明は、従来のプラグホールシール部をプラグホールシール部とジョイントラバーとに分割することにより、場所にあった適材を使用するとともに、形状を単純化して、軽量で安価な内燃機関用点火コイルを提供することを目的とする。
【課題を解決するための手段】
【０００７】
（第１発明）
第１発明の内燃機関用点火コイルは、点火コイル本体に連設された高圧タワー部と、前記高圧タワー部に取り付けるために一端に設けられた嵌合凸部と、前記嵌合凸部の他端に設けられた点火プラグを通すプラグシールとからなるパイプ状部品と、前記高圧タワー部、および前記パイプ状部品を嵌挿するプラグホールを備えたシリンダーヘッドと、前記点火コイル本体と、前記プラグホールとの間をシールするプラグホールシールと、前記嵌合凸部と嵌合する嵌合凹部を備え、前記高圧タワー部と前記パイプ状部品を接続するジョイントラバーとを少なくとも有することを特徴とする。
【０００８】
（第２発明）
第２発明の内燃機関用点火コイルは、第１発明におけるプラグホールシールおよびジョイントラバーの材質が異なっていることを特徴とする。
【０００９】
（第３発明）
第３発明の内燃機関用点火コイルは、第１発明および第２発明のプラグホールシールおよびジョイントラバーの耐熱温度および電気的絶縁性が異なっていることを特徴とする。
【発明の効果】
【００１０】
本発明によれば、プラグホールシールとジョイントラバーを別体として成形することにより、重量を軽量化するとともに形状を単純化することができ、安価な内燃機関用点火コイルとすることができた。
【００１１】
本発明によれば、プラグホールシールとジョイントラバーとを異なる材質で作製することができ、場所によって適材を使用することで、さらに、重量の軽量化と価格の低減を達成した内燃機関用点火コイルとすることができた。
【００１２】
本発明によれば、プラグホールシールおよびジョイントラバーを別体とすることにより、材質の耐熱温度および電気的絶縁性を異なるようにすることができるため、高い品質で、安価な内燃機関用点火コイルとすることができた。
【発明を実施するための最良の形態】
【００１３】
（第１発明）
第１発明の内燃機関用点火コイルは、点火コイル本体に連設された高圧タワー部と、パイプ状部品と、シリンダーヘッドと、前記各部をシールして接続するプラグホールシールおよびジョイントラバーとから少なくとも構成されている。前記パイプ状部品は、前記高圧タワー部に取り付けるために一端に設けられた嵌合凸部と、前記嵌合凸部の他端に設けられた点火プラグを通すプラグシールとから構成される。前記シリンダーヘッドは、前記プラグホール内に、前記高圧タワー部、および前記パイプ状部品を嵌挿している。
【００１４】
前記プラグホールシールは、前記点火コイル本体と、前記プラグホールとの間をシールするリング状のものである。前記ジョイントラバーは、前記嵌合凸部と嵌合する嵌合凹部を備え、前記高圧タワー部と前記パイプ状部品を接続する。前記プラグホールシールとジョイントラバーを別体とすることにより、重量を軽量化するとともに形状を単純化することができる。
【００１５】
（第２発明）
第２発明の内燃機関用点火コイルにおける別体とした前記プラグホールシールおよびジョイントラバーは、それぞれの場所に合った材質を使用することができ、さらに、重量を軽量化するとともに価格の低減を達成することができる。
【００１６】
（第３発明）
第３発明の内燃機関用点火コイルにおける別体とした前記プラグホールシールおよびジョイントラバーは、耐熱温度および電気的絶縁性を異なるようにすることができる。たとえば、前記プラグホールシールは、前記ジョイントラバーより耐熱温度および電気的絶縁性の低くいものを使用することができる。前記プラグホールシールおよびジョイントラバーは、それぞれの場所に合った材質を使用できるので、軽量化以外に安価なものを作製することができる。
【実施例１】
【００１７】
図１は本発明の内燃機関用点火コイルにおけるプラグホールシール部およびジョイントラバーの一実施例を説明するための概念図である。図１において、点火コイル本体１１は、たとえば、漏斗状垂下部１１１と、前記漏斗状垂下部１１１に連設された高圧タワー部１１２とから構成されている。前記高圧タワー部１１２は、後述するジョイントラバー１３を介して、パイプ状部品１４に接続される。前記パイプ状部品１４は、シリンダーヘッド（エンジン）１５に設けられたプラグホール１６内に嵌挿され、下端部にプラグシール部１４２が設けられている。
【００１８】
プラグホールシール１２は、前記点火コイル本体１１とシリンダーヘッド１５のプラグホール１６との間をシールする市販のオーリング等を使用することができる。ジョイントラバー１３は、前記高圧タワー部１１２を覆うとともに前記パイプ状部品１４に成形されている嵌合凸部１４１と嵌合する嵌合凹部１３１から構成されている。
【００１９】
本発明は、前記プラグホールシール１２と前記ジョイントラバー１３とを別体としたため、形状が単純化するとともに、場所に合った適材を使用することができ、安価な内燃機関用点火コイルとすることができた。
【産業上の利用可能性】
【００２０】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の実施例に記載された内燃機関用点火コイルの点火コイル本体、パイプ状部品、シリンダーヘッド等は、公知または周知の材質および形状のものを使用することができる。
【図面の簡単な説明】
【００２１】
【図１】本発明の内燃機関用点火コイルにおけるプラグホールシール部およびジョイントラバーの一実施例を説明するための概念図である。（実施例１）
【図２】従来の内燃機関用点火コイルにおけるプラグホールシール部を説明するための概念図である。
【符号の説明】
【００２２】
１１・・・点火コイル本体
１１１・・・漏斗状垂下部
１１２・・・高圧タワー部
１２・・・プラグホールシール
１３・・・ジョイントラバー
１３１・・・嵌合凹部
１４・・・パイプ状部品
１４１・・・嵌合凸部
１４２・・・プラグシール部
１５・・・シリンダーヘッド（エンジン）
１６・・・プラグホール
【図１】
2006274924.tif 000003
【図２】
2006274924.tif 000004